(57)【要約】【課題】  構造が簡単でコストが安く、しかも不正侵入しようとする者を物理的に阻止して犯罪を未然に防ぐことができる能動的機能をもつ不正侵入防止システムを提供する。【解決手段】  不正侵入防止システムは、不正侵入者を検知する検知手段と、検知手段からの不正侵入者の存在を表す検知信号に応動して不正侵入者を阻止する阻止装置とを有し、阻止装置が、流体の噴流発生手段及び検知信号に応動して噴流発生手段へ流体を供給する流体供給手段を備え、そして検知手段及び流体の噴流発生手段が敷地又は建物の出入り口の近傍に設けられていることを特徴としている。【選択図】      図１
2005141551.tif 000002
【特許請求の範囲】
【請求項１】
不正侵入者を検知する検知手段と、検知手段からの不正侵入者の存在を表す検知信号に応動して不正侵入者を阻止する阻止装置とを有し、阻止装置が、流体の噴流発生手段及び検知信号に応動して噴流発生手段へ流体を供給する流体供給手段を備え、そして検知手段及び流体の噴流発生手段が敷地又は建物の出入り口の近傍に設けられていることを特徴とする不正侵入防止システム。
【請求項２】
噴流発生手段が水又はお湯の噴流を発生するように構成されていることを特徴とする請求項１に記載の不正侵入防止システム。
【請求項３】
検知手段が検知範囲内における不正侵入者の位置を表す位置信号を阻止装置に供給し、この位置信号に応じて噴流発生手段のノズルの向きを変えるように構成されていることを特徴とする請求項１に記載の不正侵入防止システム。
【請求項４】
さらに、不正侵入者の存在を知らせる報知装置及び（又は）照射装置を有することを特徴とする請求項１〜３のいずれかに記載の不正侵入防止システム。
【請求項５】
阻止装置が、噴流発生手段から噴出する水又はお湯を着色する着色手段を備えていることを特徴とする請求項１に記載の不正侵入防止システム。
【発明の詳細な説明】
【技術分野】
【０００１】
本発明は、家屋や敷地内へ不正に侵入しようとするのを阻止する不正侵入防止システムに関するものである。
【背景技術】
【０００２】
従来、器物破損、窃盗や強盗の目的で家屋や敷地内へ不正に侵入するのを防止する手段として、鍵を二重、三重に設けたり防犯灯を設置して不正侵入をし難くする方法や、不正侵入者の接近又は門扉、窓、玄関、勝手口などを壊して開けようとする行為を報知する種々の形式の警報ベルや警報灯が開発され、実用に供されている。これらの公知の装置は不正侵入を未然に防ぐのに効果があることが広く認識されている。
【０００３】
この種の従来装置の例としては、不正侵入者の接近をセンサーで検知し、警報ブザーや警報ランプを作動させるシステム、不正侵入される恐れのある場所にテレビカメラを設置しで撮影し、不正侵入しようとしている者の動向を居住者や管理人が監視できるようにしたカメラ監視システムが知られている。
【発明の開示】
【発明が解決しようとする課題】
【０００４】
ところで近年犯罪が悪質化しており、建物の中に人が居よう居まいと拘わらず、強引に侵入して犯罪を犯す傾向が増えてきている。そのため警報ブザーや警報ランプを作動させるシステムのような所謂受動的機能をもつ装置では、不正侵入しようとする者の気持ちの動揺を引き起こして不正行為を躊躇らわせたり、周囲の者に注意を喚起させることに留まり、そのため、掛かる装置を設置していたにも拘わらず侵入されてしまう場合がしばしば発生している。
【０００５】
またカメラ監視システムは、常時監視でき的確な処置が可能であるが、設備が高価であったり、モニターを常時監視していなければ不正侵入を未然に防ぐことは困難であり、利用の仕方によっては不正侵入を十分防止することができない。
【０００６】
そこで、本発明の目的は、構造が簡単でコストが安く、しかも不正侵入しようとする者を物理的に阻止して犯罪を未然に防ぐことができる能動的機能をもつ不正侵入防止システムを提供することにある。
【課題を解決するための手段】
【０００７】
上記の目的を達成するために、本発明による不正侵入防止システムは、不正侵入者を検知する検知手段と、検知手段からの不正侵入者の存在を表す検知信号に応動して不正侵入者を阻止する阻止装置とを有し、阻止装置が、流体の噴流発生手段及び検知信号に応動して噴流発生手段へ流体を供給する流体供給手段を備え、そして検知手段及び流体の噴流発生手段が敷地又は建物の出入り口の近傍に設けられていることを特徴とする不正侵入防止システム。
【０００８】
噴流発生手段は、水又はお湯の噴流を発生するように構成され得る。
【０００９】
好ましくは、検知手段は検知範囲内における不正侵入者の位置を表す位置信号を阻止装置に供給し、この位置信号に応じて噴流発生手段のノズルの向きを変えるように構成され得る。
【００１０】
本発明の一つの実施の形態では、本システムには、不正侵入者の存在を知らせる報知装置及び（又は）照明装置が組み合わせられ得る。
【００１１】
また、阻止装置は、噴流発生手段から噴出する水又はお湯を着色する着色手段を備えることができる。
【発明の効果】
【００１２】
以上記載したように、本発明による不正侵入防止システムにおいては、不正侵入者を検知する検知手段と、検知手段からの不正侵入者の存在を表す検知信号に応動して不正侵入者を阻止する阻止装置とを有し、阻止装置が、流体の噴流発生手段及び検知信号に応動して噴流発生手段へ流体を供給する流体供給手段を備え、そして検知手段及び流体の噴流発生手段を敷地又は建物の出入り口の近傍に設けたことにより、不正に侵入しようとする者がかかる敷地又は建物の出入り口に近づくと、阻止装置における流体の噴流発生手段から流体が不正に侵入しようとする者に対して噴射され、不正侵入行為を諦めさせたり、怯ませたりすることができ、不正侵入行為を未然に防ぐことができる。
【００１３】
不正に侵入しようとする者が必要に不正侵入を試みる場合でも、噴射する流体の圧力、温度などを高く設定したり、必要に応じて音響及び照明などを併用することにより不正侵入行為を有効に防止できるようになる。
【発明を実施するための最良の形態】
【００１４】
以下図面を参照して本発明の実施の形態について説明する。
最初に図１を参照すると、本発明による不正侵入防止システムをブロック線図で示し、１は不正侵入者を検知する検知手段であり、２は不正侵入者を阻止する阻止装置である。
検知手段１は、例えば赤外線センサー、遠赤外線センサー、電磁センサー等から成り、所望の検知領域をもつものが用いられ得る。阻止装置２は、水又はお湯の噴流を発生する噴射ノズル３と、この噴射ノズル３へ水又はお湯を加圧状態で供給する水供給源又はお湯供給源４を備えている。この場合、水供給源は例えば水道であることができ、またお湯供給源は湯沸し器であることができる。また噴射ノズル３と水供給源又はお湯供給源４との間には、水供給源又はお湯供給源４から噴射ノズル３への水又はお湯を供給したり遮断したりする制御弁５が設けられ、この制御弁５は、検知手段１からの不正侵入者検知信号に応じて作動する制御装置６によって動作制御される。
【００１５】
このように構成した本発明による不正侵入防止システムの動作においては、例えば建物に不正に侵入しようとする者がセンサー１の検知領域内に入ると、センサー１は、検知領域内に不審人物が入ったことを表す検知信号を制御装置６へ送る。制御装置６は、センサー１から検知信号を受信すると、制御弁５へ開放信号を供給し、制御弁５を開放させる。これにより、噴射ノズル３から水又はお湯がセンサーの検知領域へ噴射され、不正に侵入しようとする者を検知領域外すなわち建物の出入り口付近から外方へ後退させることができる。この場合、制御弁５の開放開度を最大まで徐々に又はステップ状に制御するように制御装置６を構成することにより、不正侵入者が建物の出入り口付近から中中後退しない場合に、水又はお湯の噴射量すなわち水圧が徐々に高くなることによって不正侵入者の不正侵入の試みをより確実に諦めさせることができる。
【００１６】
図２〜図４には、本発明による不正侵入防止システムの具体的装置の構成を示している。
図示装置は、プラスチック製の本体ケーシング１０及び本体ケーシング１０にヒンジで取付けられ、本体ケーシング１０の開口部を閉じる蓋部材１１を備えている。本体ケーシング１０の内部には、給電源（図示していない）に接続された変圧器１２及び流体制御弁１３が収納されている。
【００１７】
蓋部材１１の外側には検知器１４が取付けられ、検知器１４は取付け角度及び向きを調整可能に装着されたセンサー部１５を備えている。センサー部１５は本体ケーシング１０内の変圧器１２の二次側に接続されると共に、流体制御弁１３のソレノイド励磁制御回路に接続されている。流体制御弁１３の上流側はホース１６を介して外部の水道の蛇口（図示していない）に接続される。また流体制御弁１３の下流側はホース１７が接続され、ホース１７の先端には噴射ノズル１８が取付けられている。
【００１８】
このようにして構成された図示装置は、例えば建物の玄関口の近傍に取付けられ、検知器１４のセンサー部１５の検知範囲が所望の方向及び高さになるよう設定される。そして変圧器１２の一次側はコード１９を介して電源コンセット（図示していない）に接続される。またホース１７の先端に取付けられた噴射ノズル１８は、噴射ノズル１８から噴射される噴流がセンサー部１５の検知範囲内に指向するような向き及び高さになるように調整される。
【００１９】
図示装置の動作について説明する。
電源を入れ、水道の蛇口にホース１６を接続し、かかる蛇口を開いて、装置を動作可能状態にする。この状態において、検知器１４のセンサー部１５の検知範囲内に人が入ってくると、検知器１４のセンサー部１５がそれの検知範囲内に人が入ってきたことを検知し、検知信号を流体制御弁１３のソレノイド励磁制御回路に供給し、ソレノイドに変圧器１２から励磁電流を流れさせて、ソレノイドを励磁させる。その結果、常閉型の流体制御弁１３は開放され、水道からホース１６、流体制御弁１３及びホース１７を通り、噴射ノズル１８を介して検知範囲へ水が噴射される。これにより検知器１４の検知範囲内に居る人は水の噴流を浴びて怯み、退去させることができる。
【００２０】
図示装置では、水を噴射するように構成しているが、当然お湯を噴射するように構成することもでき、その場合にはホース１６を水道の蛇口と共に湯沸し器にも接続するか、又はホース１６に適当な加熱器を組み込んでもよい。また水やお湯のような液体に代えて無害の粉末等の流体を用いてもよい。さらに使用する流体に着色剤を混ぜて不正侵入者の衣服に付着させて、不正侵入者に逃亡を諦めさせたり不正侵入者が逃亡しても発見し易いようにすることこともできる。
【００２１】
また、水やお湯などの流体の噴射に加えて、警報器や照明灯を作動するように構成することもできる。
【００２２】
さらに、本発明においては検知器のセンサー部は、検知範囲内における不正侵入者の位置を表す位置信号を発生し、この位置信号に応じて噴流発生手段のノズルの向きを変えるように構成することもできる。
【図面の簡単な説明】
【００２３】
【図１】本発明による不正侵入防止システムのブロック線図。
【図２】本発明による不正侵入防止システムの具体的装置の一つの実施の形態を示す概略外面図。
【図３】図２の装置の概略側面図。
【図４】図２の装置の内部を示す展開図。
【符号の説明】
【００２４】
１：不正侵入者を検知する検知手段
２：阻止装置
３：噴射ノズル
４：水供給源又はお湯供給源
５：制御弁
６：制御装置
１０：本体ケーシング
１１：蓋部材
１２：変圧器
１３：流体制御弁
１４：検知器
１５：センサー部
１６：ホース
１７：ホース
１８：噴射ノズル
【図１】
2005141551.tif 000003
【図２】
2005141551.tif 000004
【図３】
2005141551.tif 000005
【図４】
2005141551.tif 000006